(57)【要約】【課題】表示装置に合せた映像を表す映像信号を伝送等できる装置等を実現する。【解決手段】セットトップボックス（５）は、ＳＤＲテレビ（１）の最大輝度を取得する情報取得部（５３）と、ＨＤＲ信号を調整することにより、前記最大輝度に応じてＳＤＲテレビ（１）に表示する映像の輝度を変化させるＨＤＲ信号処理部（５４）とを備える。【選択図】図２
2018006877.tif 000002
【特許請求の範囲】
【請求項１】
表示装置に映像信号を伝送する映像伝送装置であって、
前記表示装置の最大輝度を取得する最大輝度取得部と、
前記映像信号を調整することにより、前記最大輝度に応じて前記表示装置に表示する映像の輝度を変化させる調整部と、
を備えることを特徴とする映像伝送装置。
【請求項２】
前記映像信号は、ＨＤＲ信号であることを特徴とする請求項１に記載の映像伝送装置。
【請求項３】
前記映像信号は、絶対輝度方式のＨＤＲ信号であることを特徴とする請求項１または２に記載の映像伝送装置。
【請求項４】
前記映像信号は、相対輝度方式のＨＤＲ信号であることを特徴とする請求項１または２に記載の映像伝送装置。
【請求項５】
前記映像信号は、前記映像信号と制御信号とを伝送するインターフェースを介し前記表示装置に伝送され、
前記最大輝度取得部は、前記制御信号から、前記最大輝度を取得することを特徴とする請求項１から４のいずれか一項に記載の映像伝送装置。
【請求項６】
前記映像信号は、前記映像信号と制御信号とを伝送するインターフェースを介し前記表示装置に伝送され、
前記最大輝度取得部は、
前記制御信号から、前記表示装置を特定する情報を取得し、
前記情報から、前記最大輝度を取得することを特徴とする請求項１から４のいずれか一項に記載の映像伝送装置。
【請求項７】
前記インターフェースは、ＨＤＭＩ信号線であることを特徴とする請求項５または６に記載の映像伝送装置。
【請求項８】
前記制御信号は、ＥＤＩＤを含むことを特徴とする請求項７に記載の映像伝送装置。
【請求項９】
前記制御信号は、ＣＥＣコマンドを含むことを特徴とする請求項７に記載の映像伝送装置。
【請求項１０】
前記最大輝度取得部は、前記最大輝度を返答するサーバに、前記表示装置を特定する情報を送信し、
前記最大輝度取得部は、前記サーバから前記最大輝度を取得することを特徴とする請求項１から４のいずれか一項に記載の映像伝送装置。
【請求項１１】
前記表示装置を特定する情報と、前記最大輝度とを対応付けたデータベースをさらに備え、
前記最大輝度取得部は、前記データベースから前記最大輝度を取得することを特徴とする請求項１から４のいずれか一項に記載の映像伝送装置。
【請求項１２】
前記最大輝度または前記表示装置を特定する情報の入力を受け付ける入力部をさらに備え、
前記最大輝度取得部は、前記入力部が受け付けた結果に基づき、前記最大輝度を取得することを特徴とする請求項１から４のいずれか一項に記載の映像伝送装置。
【請求項１３】
前記最大輝度取得部は、前記最大輝度を記録した電子媒体から、前記最大輝度または前記表示装置を特定する情報を取得することを特徴とする請求項１から４のいずれか一項に記載の映像伝送装置。
【請求項１４】
前記電子媒体は、非接触ＩＣカードであることを特徴とする請求項１３に記載の映像伝送装置。
【請求項１５】
前記最大輝度のデフォルト値を保持する最大輝度保持部をさらに備え、
前記調整部は、前記最大輝度取得部が取得した最大輝度または前記デフォルト値に応じて、前記映像の輝度を変化させることを特徴とする請求項１から１４のいずれか一項に記載の映像伝送装置。
【請求項１６】
前記映像信号は、前記最大輝度の推奨値を含み、
前記調整部は、前記最大輝度取得部が取得した最大輝度または前記推奨値に応じて、前記映像の輝度を変化させることを特徴とする請求項１から１４のいずれか一項に記載の映像伝送装置。
【請求項１７】
請求項１から１６のいずれか一項に記載の映像伝送装置を接続する接続部を備え、
前記最大輝度取得部は、前記接続部を介し前記最大輝度を取得することを特徴とする表示装置。
【請求項１８】
ＬＣＤパネルをさらに備えることを特徴とする請求項１７に記載の表示装置。
【請求項１９】
請求項１から１６のいずれか一項に記載の映像伝送装置と、
請求項１７または１８に記載の表示装置と、
を備えることを特徴とする映像表示システム。
【請求項２０】
表示装置に伝送される映像信号を配信する映像配信装置であって、
前記映像信号は、前記表示装置の最大輝度の推奨値を含むことを特徴とする映像配信装置。
【請求項２１】
請求項１から１６のいずれか一項に記載の映像伝送装置と、
請求項２０に記載の映像配信装置と、
を備えることを特徴とする映像配信システム。
【請求項２２】
請求項１から１６のいずれか一項に記載の映像伝送装置と、
請求項１７または１８に記載の表示装置と、
請求項２０に記載の映像配信装置と、
を備えることを特徴とする映像送受信システム。
【請求項２３】
コンピュータを、請求項１から１６のいずれか一項に記載の映像伝送装置の各部として機能させることを特徴とするプログラム。
【請求項２４】
請求項２３に記載のプログラムを記録していることを特徴とする記録媒体。
【請求項２５】
表示装置に映像信号を伝送する映像伝送方法であって、
前記表示装置の最大輝度を取得する最大輝度取得工程と、
前記映像信号を調整することにより、前記最大輝度に応じて前記表示装置に表示する映像の輝度を変化させる調整工程と、
を含むことを特徴とする映像伝送方法。
【発明の詳細な説明】
【技術分野】
【０００１】
本発明は、映像信号を伝送するもしくは配信する、または映像を表示する、装置、方法、およびシステムに関する。
【背景技術】
【０００２】
特許文献１には、モニタの仕様に応じた映像信号を生成するセットトップボックス（ＳＴＢ；Set-Top Box）が記載されている。そのＳＴＢは、モニタからその表示状態を受信するとともに、モニタにその映像調整内容を送信する。
【先行技術文献】
【特許文献】
【０００３】
【特許文献１】特許文献１：特開2005-286403（2005年10月13日公開）
【発明の概要】
【発明が解決しようとする課題】
【０００４】
特許文献１のＳＴＢは、モニタの最大輝度を認識できないため、モニタに表示する映像の階調特性を決定できない。したがって、特許文献１の技術では、映像信号をモニタに合せて適切に変換したうえで表示することができない。
【０００５】
最近では、映像信号としてＨＤＲ（High Dynamic Range）信号が配信されつつある。ＨＤＲ信号のように、従来よりも高輝度の映像信号が表す映像を、表示装置に表示するときには、特に、その映像信号を表示装置に合せて適切に変換したうえで表示できることが好ましい。
【０００６】
本発明は、表示装置に合せた映像を表す映像信号を伝送できるもしくは配信できる、またはその映像を表示できる、装置、方法、およびシステムを実現することを、目的とする。
【課題を解決するための手段】
【０００７】
前記の課題を解決するために、本発明の一態様に係る映像伝送装置は、表示装置に映像信号を伝送する映像伝送装置であって、前記表示装置の最大輝度を取得する最大輝度取得部と、前記映像信号を調整することにより、前記最大輝度に応じて前記表示装置に表示する映像の輝度を変化させる調整部とを備える。
【０００８】
本発明の一態様に係る表示装置は、前記映像伝送装置を接続する接続部を備え、前記最大輝度取得部は、前記接続部を介し前記最大輝度を取得する。
【０００９】
本発明の一態様に係る映像表示システムは、前記映像伝送装置と、前記表示装置とを備える。
【００１０】
本発明の一態様に係る映像配信装置は、表示装置に伝送される映像信号を配信する映像配信装置であって、前記映像信号は、前記表示装置の最大輝度の推奨値を含む。
【００１１】
本発明の一態様に係る映像配信システムは、前記映像伝送装置と、前記映像配信装置とを備える。
【００１２】
本発明の一態様に係る映像送受信システムは、前記映像伝送装置と、前記表示装置と、前記映像配信装置とを備える。
【００１３】
本発明の一態様に係るプログラムは、コンピュータを、前記映像伝送装置の各部として機能させる。
【００１４】
本発明の一態様に係る記録媒体は、前記プログラムを記録している。
【００１５】
本発明の一態様に係る映像伝送方法は、表示装置に映像信号を伝送する映像伝送方法であって、前記表示装置の最大輝度を取得する最大輝度取得工程と、前記映像信号を調整することにより、前記最大輝度に応じて前記表示装置に表示する映像の輝度を変化させる調整工程とを含む。
【発明の効果】
【００１６】
本発明の各態様によれば、表示装置に合せた映像を表す映像信号を伝送できるもしくは配信できる、またはその映像を表示できるという効果を奏する。
【図面の簡単な説明】
【００１７】
【図１】参考形態に係る映像表示システムの構成を示す模式図である。
【図２】実施形態１〜３に係る映像表示システムの構成を示す模式図である。
【図３】図２に示される映像表示システムの詳細構成を示す模式図である。
【図４】図２に示される映像表示システムのＳＤＲテレビと見なせる表示装置の例を示す模式図である。
【図５】実施形態４〜８に係る映像表示システムの構成を示す模式図である。
【図６】実施形態９に係る映像表示システムの構成を示す模式図である。
【図７】図６に示される映像表示システムの動作を示すフローチャートである。
【図８】実施形態１０に係る映像配信装置の構成を示す模式図である。
【図９】図８に示される映像配信装置の動作を示すフローチャートである。
【図１０】図８に示される映像配信装置が配信したＨＤＲ信号を伝送する、図２に示される映像表示システムのＳＴＢの動作を示すフローチャートである。
【発明を実施するための形態】
【００１８】
〔参考形態〕
（映像表示システム１２１）
図１は、本発明の参考形態に係る映像表示システム１２１の構成を示す模式図である。映像表示システム１２１は、ＳＴＢ１０５と、ＨＤＲテレビ１０１とを備えている。
【００１９】
（ＳＴＢ１０５）
ＳＴＢ１０５は、ＨＤＲコンテンツを表すＨＤＲ信号をＨＤＲテレビ１０１へ伝送する映像伝送装置である。ＨＤＲ信号は、映像配信装置６から配信されている。
【００２０】
映像信号には、ＳＤＲ（Standard Dynamic Range）信号と、ＨＤＲ信号とが存在する。ＳＤＲ信号は、γ２．２相当等のＥＯＴＦ（Electro-Optical Transfer Function）を有する再生環境での再生を前提として配信される。一方、ＨＤＲ信号は、ＳＭＰＴＥ−ＳＴ２０８４等のＥＯＴＦを有する再生環境での再生を前提として配信される。
【００２１】
特に、ＨＤＲ信号は、ＳＤＲ信号よりも、階調数（取り得る階調値の個数）が多く、かつ、より高輝度の情報を含む映像信号であり、映像の最大輝度などのパラメータを付加されている。
【００２２】
ＳＴＢ１０５は、デコード部５１と、ＨＤＭＩ変換部５２とを備えている。デコード部５１は、符号化されたＨＤＲ信号を復号する。ＨＤＭＩ変換部５２は、デコード部５１が復号したＨＤＲ信号を、ＨＤＭＩ（High-Definition Multimedia Interface）規格に基づき、ＨＤＲテレビ１０１が受信できる映像信号に変換する。なお、ＨＤＭＩは登録商標である。
【００２３】
（ＨＤＲテレビ１０１）
ＨＤＲテレビ１０１は、ＨＤＲ信号が表す映像を表示する表示装置であり、ＨＤＲ信号処理部１１１を備えている。ＨＤＲ信号処理部１１１は、ＨＤＲテレビ１０１から、その最大輝度に関するDisplay輝度情報を取得し、そのDisplay輝度情報を参照し、ＳＴＢ１０５が伝送したＨＤＲ信号の信号レベルを変更する、つまり階調特性を設定する。これにより、ＨＤＲ信号が表す映像の最大輝度は、ＨＤＲテレビ１０１の映像を表示するディスプレイの最大輝度に調整される。
【００２４】
（映像配信システム１２２および映像送受信システム１３０）
映像配信システム１２２は、映像配信装置６と、ＳＴＢ１０５とを備えている。映像送受信システム１３０は、映像配信装置６と、ＳＴＢ１０５と、ＨＤＲテレビ１０１とを備えている。
【００２５】
〔実施形態１〕
後述する部材は、それよりも前に記載された部材と同じ機能を有するときには、その部材と同じ符号が付記され、その説明は省略される。
【００２６】
（映像表示システム２１）
図２は、本発明の第１〜３実施形態に係る映像表示システム２１の構成を示す模式図である。映像表示システム２１は、ＳＴＢ５（映像伝送装置）と、ＳＤＲテレビ１（表示装置）とを備えている。
【００２７】
（ＳＴＢ５）
ＳＴＢ５は、情報取得部５３（最大輝度取得部）と、ＨＤＲ信号処理部５４（調整部）とをさらに備えている点が、ＳＴＢ１０５とは異なる。
【００２８】
情報取得部５３は、ＳＤＲテレビ１から、その最大輝度に関するDisplay輝度情報を取得する。その（ＳＤＲテレビ１の）最大輝度とは、ＳＤＲテレビ１が表示可能な最大輝度を意味する。ＨＤＲ信号処理部５４は、情報取得部５３が取得したDisplay輝度情報を参照し、デコード部５１が復号したＨＤＲ信号の信号レベルを変更する。ＨＤＭＩ変換部５２は、ＨＤＲ信号処理部５４が信号レベルを変更したＨＤＲ信号を、ＨＤＭＩ規格に基づき、ＳＤＲテレビ１が受信可能なＨＤＲ信号に変換する。
【００２９】
ＨＤＲ信号処理部５４が信号レベルを変更したＨＤＲ信号、およびＨＤＭＩ変換部５２が変換したＨＤＲ信号は、ＳＤＲ信号と見なせる。
【００３０】
（ＳＤＲテレビ１）
ＳＤＲテレビ１は、ＳＤＲ信号が表す映像を表示する表示装置であり、ＳＴＢ５を接続する接続部１５を備える。ＳＴＢ５の情報取得部５３は、接続部１５を介してDisplay輝度情報を取得する。
【００３１】
（ＳＴＢ５の詳細構成）
図３は、図２に示される映像表示システム２１の詳細構成を示す模式図である。図３では、ＳＴＢ５のデコード部５１およびＨＤＭＩ変換部５２が、省略されている。ＳＴＢ５のＨＤＲ信号処理部５４は、逆ＯＥＴＦ変換部５４１と、色域変換部５４２と、逆ＥＯＴＦ変換部５４３と、階調変換部５４４とを備えている。
【００３２】
逆ＯＥＴＦ変換部５４１は、入力されるＨＤＲ信号（階調値信号）に対して逆ＯＥＴＦ変換を行うことによって、輝度を示す信号（単に輝度信号とも呼ぶ）に変換する。色域変換部５４２は、入力される輝度信号に対して、色域変換処理を行うことによって、色域変換後の輝度信号を生成する。逆ＥＯＴＦ変換部５４３は、入力される色域変換後の輝度信号に対して、逆ＥＯＴＦ変換を行うことによって、階調値信号を生成する。階調変換部５４４は、逆ＥＯＴＦ変換部５４３が生成した階調値信号に対して階調変換を行うことによって、変換後の階調値信号を生成する。
【００３３】
逆ＯＥＴＦ変換部５４１・色域変換部５４２・逆ＥＯＴＦ変換部５４３による一連の工程における色域は、国際電気通信連合が制定した規格であるITU-R BT.2020に準拠したものであってもよいし、ITU-R BT.709に準拠したものであってもよい。
【００３４】
階調変換部５４４は、情報取得部５３が取得したDisplay輝度情報である、ＳＤＲテレビ１の最大輝度に関する情報を参照し、ＨＤＲ信号によって表される映像の輝度を調整することにより、Display輝度情報に応じてＳＤＲテレビ１に表示する映像の輝度を変化させる。具体的には、階調変換部５４４は、その映像の輝度が、ＳＤＲテレビ１の最大輝度以下となるように、ＨＤＲ信号の信号レベルを変更する。
【００３５】
（ＳＤＲテレビ１の詳細構成）
ＳＤＲテレビ１は、ローカルディミング処理部１１と、ＬＣＤパネル１２と、ＬＥＤバックライト１３とを備えている。ローカルディミング処理部１１は、ＬＥＤバックライト１３における複数のエリアごとに輝度を調整する。より具体的には、ローカルディミング処理部１１は、ＬＣＤパネル１２に表示する映像を高コントラスト化するために、出力画像における明るいエリアをより明るくし、その映像における暗いエリアをより暗くするよう、各エリアの輝度を決定する。このとき、ローカルディミング処理部１１は、ＳＴＢ５の階調変換部５４４へ、ＳＤＲテレビ１の最大輝度をフィードバックする。
【００３６】
（映像配信システム２２および映像送受信システム３０）
映像配信システム２２は、映像配信装置６と、ＳＴＢ５とを備えている。映像送受信システム３０は、映像配信装置６と、ＳＴＢ５と、ＳＤＲテレビ１とを備えている。
【００３７】
（本実施形態の効果）
従来、ＨＤＲ信号が表す映像を、ＳＤＲテレビに合わせて最適化することは、困難であった。その理由は、ＨＤＲ信号の処理において、ＳＤＲテレビの最大輝度情報がないために、階調特性を最適に決めることができない点にある。しかし、ＳＴＢ５では、ＨＤＲ信号がＳＤＲ環境で再生されるときに、つまりＨＤＲ信号により表される映像がＳＤＲテレビ１に表示されるときに、その映像の輝度は、ＳＤＲテレビ１の最大輝度以下となるように調整される。以上により、ＳＴＢ５は、ＳＤＲテレビ１に合せた映像を表すＨＤＲ信号を伝送できる。
【００３８】
また、ＳＴＢ５を接続する接続部１５を備えているＳＤＲテレビ１は、ＳＤＲテレビ１に合せた映像を表示できる。つまり、ＨＤＲ非対応の表示装置でも、ＨＤＲ信号が表す映像であるＨＤＲコンテンツを表示できる。特に、その表示装置の最大輝度が高いほど、ＨＤＲ非対応であるにもかかわらず、ＨＤＲ対応の表示装置により近い画質にて、ＨＤＲコンテンツを表示できる。
【００３９】
また、ＳＴＢ５およびＳＤＲテレビ１を備えている映像表示システム２１は、ＳＤＲテレビ１に合せた映像を表すＨＤＲ信号を伝送できるとともに、その映像を表示できる。
【００４０】
また、映像配信装置６と、ＳＴＢ５とを備えている映像配信システム２２は、ＨＤＲ信号を配信するとともに、ＳＤＲテレビ１に合せた映像を表すＨＤＲ信号を伝送できる。
【００４１】
また、映像配信装置６と、ＳＴＢ５と、ＳＤＲテレビ１とを備えている映像送受信システム３０は、ＨＤＲ信号を配信し、ＳＤＲテレビ１に合せた映像を表すＨＤＲ信号を伝送し、かつその映像を表示できる。
【００４２】
また、ＳＤＲテレビ１の最大輝度を取得する情報取得部５３により実現される最大輝度取得工程と、ＳＤＲテレビ１に表示する映像の輝度が前記最大輝度以下となるように、ＨＤＲ信号を調整するＨＤＲ信号処理部５４により実現される調整工程とを含む映像伝送方法も、ＳＤＲテレビ１に合せた映像を表すＨＤＲ信号を伝送できる。
【００４３】
以上の構成は、ＳＴＢ５が伝送する映像信号がＨＤＲ信号であるときに、特に有用であるが、ＨＤＲ信号に類する映像信号（例えば、一般的な映像よりも最大輝度が高い映像を表すＳＤＲ信号）であるときにも有用である。
【００４４】
なお、ＳＴＢ５は、例えばＨＤＲ信号処理部５４がデコード部５１としても機能するときには、デコード部５１を備えていなくてもよい。また、ＳＴＢ５は、例えばＨＤＲ信号処理部５４がＨＤＭＩ変換部５２としても機能するときには、ＨＤＭＩ変換部５２を備えていなくてもよい。
【００４５】
図４は、図２に示される映像表示システム２１のＳＤＲテレビ１と見なせる表示装置の例を示す模式図である。ＳＤＲテレビ１は、ＳＴＢ５に接続する接続部１５を備えている、図４の（ａ）に示されるパーソナルコンピュータ３（表示装置）、または図４の（ｂ）に示される情報端末装置４（表示装置）であってもよい。
【００４６】
図１の映像表示システム１２１のＨＤＲテレビ１０１に、ＳＴＢ５を接続してもよい。これにより、ＨＤＲテレビ１０１のＨＤＲ信号処理部１１１におけるＨＤＲ信号の処理による負荷を低下させ、ＨＤＲテレビ１０１に表示する映像の品質を高める余地がうまれる。
【００４７】
（ＰＱ方式のＨＤＲ信号）
映像表示システム２１のＨＤＲ信号は、ＳＭＰＴＥ−ＳＴ２０８４のＰＱ（Perceptual Quantizer）方式により信号レベルが規定されたＨＤＲ信号であることが好ましい。
【００４８】
ＰＱ方式では、次のとおりにＨＤＲ信号の信号レベルが規定されている。
Ｅ´＝｛（ｃ１＋ｃ２・Ｌｍ１）／（１＋ｃ３・Ｌｍ１）｝ｍ２  （０≦Ｌ≦１）
Ｌ：シーン輝度（Ｌ＝１が表示輝度１０，０００ｃｄ／ｍ２に対応）
Ｅ´：ＨＤＲ信号の信号レベル
ｍ１＝０．１５９３０１７５７８１２５
ｍ２＝７８．８４３７５
ｃ１＝ｃ３−ｃ２＋１
ｃ２＝１８．８５１５６２５
ｃ３＝１８．６８７５
映像表示システム２１において、ＳＤＲテレビ１の最大輝度に対応するシーン輝度Ｌの信号レベルＥ´が、最大信号レベルとなるように調整することにより、ＨＤＲ信号により表される映像の輝度が、ＳＤＲテレビ１の最大輝度以下となるように調整される。
【００４９】
なお、ＨＤＲ信号は、ＰＱ方式のＨＤＲ信号のみに限定されるわけではなく、ＰＱ方式のように、映像信号が表す映像の輝度（シーン輝度）を絶対輝度で扱う他の絶対輝度方式のＨＤＲ信号であってもよい。このときにも、ＨＤＲ信号により表される映像の輝度が、ＳＤＲテレビ１の最大輝度以下となるように調整される。
【００５０】
また、ＨＤＲ信号は、映像信号が表す映像の輝度（シーン輝度）を「黒」と「白」との間の相対的な値で扱う相対輝度方式（例えばＨＬＧ（Hybrid Log-Gamma）方式）のＨＤＲ信号であってもよい。このときには、ＨＤＲ信号により表される映像の基準白レベルの輝度を、ＳＤＲ信号の基準輝度となる１００ｃｄ／ｍ２に対応させることで、相対輝度方式のＨＤＲ信号を、前記絶対輝度方式のＨＤＲ信号と同様に扱うことができる。
【００５１】
〔実施形態２〕
（ＨＤＭＩ規格を利用する構成）
本実施形態は、図２に示される映像表示システム２１において、ＨＤＲ信号を伝送する配線Ａと、Display輝度情報を伝送する配線Ｂとが、ＨＤＭＩ信号線Ｃに含まれている点において、前記実施形態とは異なっている。
【００５２】
ＨＤＭＩ信号線Ｃは、コンテンツ（映像信号および音声信号）を伝送するＴＭＤＳ（Transition Minimized Differential Signaling）チャンネルと、ＳＤＲテレビ１の性能、特性などを示すＥＤＩＤ（Extended Display Identification Data）などを伝送するＤＤＣ（Display Data Channel）ラインと、ＣＥＣコマンドを伝送するＣＥＣラインと、ホットプラグ検出ピンの電圧を制御することによってＥＤＩＤをＳＴＢ５に読み出させることなどに利用されるＨＰＤ（Hot Plug Detect）信号を伝送するＨＰＤラインと、接続検知のためにソース機器によって電圧（対グランド電位）が５Ｖに制御される５Ｖ電力ラインとを備えている。
【００５３】
映像表示システム２１では、ＨＤＲ信号が、ＨＤＲ信号と制御信号が含んでいるＥＤＩＤとを伝送するインターフェースであるＨＤＭＩ信号線Ｃを介しＳＤＲテレビ１に伝送される。ＳＴＢ５の情報取得部５３は、ＥＤＩＤから、Display輝度情報としてＳＤＲテレビ１の最大輝度を取得する。
【００５４】
〔実施形態３〕
（ＨＤＭＩ規格を利用する他の構成）
本実施形態は、情報取得部５３により取得されるDisplay輝度情報が、ＣＥＣコマンドにより、ＳＤＲテレビ１からＳＴＢ５へ送信される点において、前記実施形態とは異なっている。
【００５５】
ＨＤＭＩ規格では、ＣＥＣ（Consumer Electronics Control）コマンドにより、様々な機器間の連携が行えるように規定されている。ＣＥＣコマンドによる機器間の連携を行うために、ＨＤＭＩ信号線Ｃにより接続された各機器には、その機器の種別を示すことによりその機器を指定する論理アドレスと、ＨＤＭＩ信号線Ｃにより接続された機器により構成されるＨＤＭＩネットワーク上における所在を示すことにより機器を指定する物理アドレスとが割り振られている。
【００５６】
そして、ＣＥＣコマンドは、ＨＤＭＩ信号線Ｃを介して接続された各機器の論理アドレスを指定する情報をＣＥＣコマンド内に格納することにより、所望の機器にＣＥＣコマンドを送信することができる。
【００５７】
映像表示システム２１では、ＨＤＲ信号が、ＨＤＲ信号と制御信号が含むＣＥＣコマンドとを伝送するインターフェースであるＨＤＭＩ信号線Ｃを介しＳＤＲテレビ１に伝送される。ＳＴＢ５の情報取得部５３は、ＣＥＣコマンドの実行結果から、Display輝度情報としてＳＤＲテレビ１の最大輝度を取得する。
【００５８】
〔実施形態４〕
（サーバを利用する構成）
図５は、本発明の第４〜８実施形態に係る映像表示システム２１の構成を示す模式図である。図５において、デコード部５１およびＨＤＭＩ変換部５２は、省略されている。本実施形態は、情報取得部５３が、Display輝度情報をデータベースサーバ５５から取得する点において、前記実施形態とは異なっている。
【００５９】
情報取得部５３は、ＳＤＲテレビ１から、それを特定できる情報であるDisplay情報を取得し、データベースサーバ５５に送信する。
【００６０】
データベースサーバ５５は、Display情報からＳＤＲテレビ１を特定し、ＳＤＲテレビ１の最大輝度に関するDisplay輝度情報を返答する。
【００６１】
情報取得部５３がデータベースサーバ５５からDisplay輝度情報を取得する手段の一例としてＨｙｂｒｉｄＣａｓｔ（登録商標）がある。ＨｙｂｒｉｄＣａｓｔは、放送局および各種メディアなどにおける映像配信装置６が配信するコンテンツに関連付けられた情報に基づき、データベースサーバ５５からDisplay輝度情報を取得する、情報取得部５３において動作可能なアプリケーションである。
【００６２】
前記手段は、例えばＡｎｄｒｏｉｄ（登録商標）およびｉＯＳ（登録商標）といったスマートホン上で動作するオペレーティングシステムにより提供される機能であってもよい。
【００６３】
ＳＴＢ５は、Display情報とDisplay輝度情報との対応を記録したデータベース５５ａを備えていてもよい。情報取得部５３は、データベース５５ａからDisplay輝度情報を取得できる。
【００６４】
（本実施形態の効果）
表示装置は、その最大輝度に関する情報を、表示装置の外部から参照される用途を想定されていないことが多い。しかし、表示装置を特定できる情報（例えば、表示装置の名称および製造番号）は、表示装置の外部から参照できることがある。
【００６５】
本実施形態の映像表示システム２１では、そのような表示装置に対し、ＨＤＲ信号により表される映像を表示するときに、その映像の輝度を、表示装置の最大輝度以下となるように調整できる。
【００６６】
〔実施形態５〕
（サーバを利用する他の構成）
本実施形態は、情報取得部５３が、Display輝度情報をＷＥＢサーバ５６から取得する点において、前記実施形態とは異なっている。情報取得部５３は、ＳＤＲテレビ１から、それを特定できる情報であるDisplay情報（例えば、ＳＤＲテレビ１の名称および製造番号）を取得し、インターネットを介し、例えばＳＤＲテレビ１の製造メーカーのＷＥＢサイトおよび検索サイトにおける、ＷＥＢサーバ５６に送信する。ＷＥＢサーバ５６は、Display情報からＳＤＲテレビ１を特定し、ＳＤＲテレビ１の最大輝度に関するDisplay輝度情報を返答する。
【００６７】
〔実施形態６〕
（ＳＴＢ５のユーザ入力を利用する構成）
本実施形態は、ＳＴＢ５のユーザが、リモートコントローラ５７（入力部）によりDisplay情報を情報取得部５３に入力する点において、前記実施形態とは異なっている。情報取得部５３は、ＳＴＢ５のユーザが入力したDisplay情報に基づき、Display輝度情報を取得する。
【００６８】
ＳＴＢ５のユーザは、Display輝度情報を情報取得部５３に入力してもよい。ＳＴＢ５のユーザが情報取得部５３に入力する情報は、ＳＤＲテレビ１を特定する余地のある情報、つまり明るい／暗いといった情報、ＨＤＲ／ＳＤＲに対応しているか否かといった情報などであってもよい。
【００６９】
〔実施形態７〕
（近距離無線通信規格を利用する構成）
本実施形態は、情報取得部５３が、近距離無線通信（ＮＦＣ；Near Field Communication）規格などに準拠した非接触ＩＣカード５８（電子媒体）から、Display輝度情報を取得する点において、前記実施形態とは異なっている。ＮＦＣ規格は、例えば非接触ＩＣの国際規格であるISO/IEC14443であってもよい。
【００７０】
〔実施形態８〕
本実施形態は、情報取得部５３が、ＨＤＭＩ信号線ＣからDisplay情報を取得する（図５）点において、前記実施形態とは異なっている。情報取得部５３は、取得したDisplay情報に基づき、例えばデータベースサーバ５５等から、Display輝度情報を取得する。
【００７１】
〔実施形態９〕
（映像表示システム２１ａ）
本実施形態では、映像表示システム２１ａのＳＴＢ５ａが、メモリ５９（最大輝度保持部）を備えている点において、前記実施形態とは異なる。図６は、本発明の第９実施形態に係る映像表示システム２１ａの構成を示す模式図である。
【００７２】
映像表示システム２１ａは、ＳＴＢ５ａと、ＳＤＲテレビ１とを備えている。ＳＴＢ５ａは、メモリ５９をさらに備えている点において、ＳＴＢ５とは異なっている。メモリ５９は、情報取得部５３がDisplay輝度情報を取得できなかったときに、そのDisplay輝度情報として参照されるデフォルト値を、記録している。
【００７３】
（映像表示システム２１ａの動作）
図７は、図６に示される映像表示システム２１ａの動作を示すフローチャートである。
【００７４】
〈ステップＳ１０１〉
映像配信装置６（図５）が、ＨＤＲ信号をＳＴＢ５ａ（図６）へ配信する。
【００７５】
〈ステップＳ１０２〉
ＳＴＢ５ａの情報取得部５３が、Display輝度情報の取得を試みる。情報取得部５３がDisplay輝度情報を取得できたときには、ステップＳ１０３が実行される。情報取得部５３がDisplay輝度情報を取得できなかったときには、ステップＳ１０４が実行される。つまり、情報取得部５３が切換え処理を行う。
【００７６】
〈ステップＳ１０３〉
ＳＴＢ５ａのＨＤＲ信号処理部５４が、情報取得部５３により取得されたDisplay輝度情報を参照する。
【００７７】
〈ステップＳ１０４〉
情報取得部５３が、メモリ５９からDisplay輝度情報のデフォルト値を取得する。ＨＤＲ信号処理部５４は、情報取得部５３が参照したデフォルト値を参照する。
【００７８】
〈ステップＳ１０５〉
ＨＤＲ信号処理部５４が、参照した輝度情報を用いてＨＤＲ信号処理を実施する。
【００７９】
（本実施形態の効果）
表示装置は、その最大輝度に関する情報を、表示装置の外部から参照される用途を想定されていないことが多い。本実施形態の映像表示システム２１ａでは、そのような表示装置に対し、ＨＤＲ信号により表される映像を表示するときに、その映像の輝度を、表示装置の最大輝度以下となるように調整できる。
【００８０】
〔実施形態１０〕
本実施形態は、ＨＤＲ信号が、ＳＤＲテレビ１（図２）向けの映像を撮影するときの、その映像の最大輝度のデフォルト値を含む点において、前記実施形態とは異なっている。
【００８１】
（映像配信システム２２）
図８は、本発明の第１０実施形態に係る映像配信装置６ａの構成を示す模式図である。映像配信装置６ａは、ＨＤＲ情報演算部６１と、エンコード部６２と、メモリ６３と、変調部６４と、オーサリング部６５とを備えている。
【００８２】
ＨＤＲ情報演算部６１は、ＨＤＲ対応カメラ７が撮影した映像から、映像信号とＨＤＲ情報とを演算する。ＨＤＲ情報は、例えばＨＤＲコンテンツの最大輝度を表すメタデータを含む。
【００８３】
エンコード部６２は、ＨＤＲ情報演算部６１が演算した映像信号とＨＤＲ情報とを符号化する。このとき、エンコード部６２は、さらに、メモリ６３からＳＤＲ撮影における映像の最大輝度のデフォルト値（推奨値）を受け取り、そのデフォルト値を符号化する。
【００８４】
変調部６４は、エンコード部６２が符号化した信号を変調する。変調部６４が変調した信号は、ＨＤＲ信号として配信される。
【００８５】
オーサリング部６５は、エンコード部６２が符号化した信号をオーサリングする。オーサリング部６５がオーサリングした信号は、ブルーレイディスク（Blu-ray Disc）などの記録媒体に記録される。なお、ブルーレイディスクは登録商標である。
【００８６】
（映像配信システム２２の動作）
図９は、図８に示される映像配信装置６ａの動作を示すフローチャートである。
【００８７】
〈ステップＳ２０１〉
ＨＤＲ対応カメラ７が、ＳＭＰＴＥ−ＳＴ２０８４等のＥＯＴＦを有する再生環境での再生を前提とした映像であるＨＤＲ映像を撮影する。
【００８８】
〈ステップＳ２０２〉
ＨＤＲ情報演算部６１が、ＨＤＲ映像の再生を想定するＨＤＲテレビの最大輝度をＨＤＲ情報に設定する。
【００８９】
〈ステップＳ２０３〉
エンコード部６２が、ＨＤＲ情報に前記ＨＤＲテレビの最大輝度と、接続モニタフラグ（新設）とを付加する。
【００９０】
〈ステップＳ２０４〉
ステップＳ２０２と平行して、メモリ６３には、γ２．２相当等のＥＯＴＦ（Electro-Optical Transfer Function）を有する再生環境での再生を前提とした映像であるＳＤＲ映像の再生を想定するＳＤＲテレビの最大輝度が、記録される。
【００９１】
〈ステップＳ２０５〉
エンコード部６２が、ＨＤＲ情報に、前記ＳＤＲテレビの最大輝度と、接続モニタフラグ（新設）とを付加する。
【００９２】
〈ステップＳ２０６〉
エンコード部６２が、映像信号を符号化するときに（映像エンコード時に）、フラグ付きのＨＤＲ情報を、符号化した信号に重畳させる。このとき、マスタリング時のモニタ情報（輝度、色度など）は、既に規定されている。
【００９３】
〈ステップＳ２０７〉
変調部６４により変調された信号が、ＨＤＲ信号として配信される。または、オーサリング部６５によりオーサリングされた信号が、ブルーレイディスクなどの記録媒体に記録される。
【００９４】
（映像配信システム２２が配信したＨＤＲ信号を伝送するＳＴＢ５の動作）
ＳＴＢ５は、映像配信装置６ａが配信したＨＤＲ信号を、ＳＤＲテレビ１に合せた映像を表すＨＤＲ信号として伝送することができる。図１０は、図８に示される映像配信装置６ａが配信したＨＤＲ信号を伝送する、図２に示される映像表示システム２１のＳＴＢ５の動作を示すフローチャートである。
【００９５】
〈ステップＳ３０１〉
ＳＴＢ５が、ＨＤＲ信号を映像配信装置６ａから受けとる。
【００９６】
〈ステップＳ３０２〉
ＳＴＢ５の情報取得部５３が、ＳＴＢ５に接続する表示装置から、Display輝度情報の取得を試みる。情報取得部５３がDisplay輝度情報を取得できたときには、ステップＳ３０３が実行される。情報取得部５３がDisplay輝度情報を取得できなかったときには、ステップＳ３０４が実行される。
【００９７】
〈ステップＳ３０３〉
ＳＴＢ５のＨＤＲ信号処理部５４が、情報取得部５３により取得されたDisplay輝度情報を参照する。
【００９８】
〈ステップＳ３０４〉
情報取得部５３が、ＳＴＢ５に接続しているモニタに応じて、フラグにひも付けされたＨＤＲ情報を参照する。例えば、ＳＴＢ５が従来のモニタに接続されている場合には、フラグ＝ＳＤＲの情報を使い、ＨＤＲ対応テレビでも、メニューで輝度効果をＨＤＲ／ＳＤＲ選択できるときはそれに応じたフラグの情報を使う。
【００９９】
〈ステップＳ３０５〉
ＳＴＢ５のＨＤＲ信号処理部５４が、参照した輝度情報を用いてＨＤＲ信号処理を実施する。
【０１００】
（本実施形態の効果）
本実施形態の映像配信装置６ａは、表示装置に表示される映像の輝度が、表示装置の最大輝度以下となるように、その映像を表すＨＤＲ信号を配信できる。
【０１０１】
〔ソフトウェアによる実現例〕
ＳＴＢ５の制御ブロック（特に、情報取得部５３およびＨＤＲ信号処理部５４）は、集積回路（ＩＣチップ）等に形成された論理回路（ハードウェア）によって実現してもよいし、ＣＰＵ（Central Processing Unit）を用いてソフトウェアによって実現してもよい。
【０１０２】
後者の場合、ＳＴＢ５は、各機能を実現するソフトウェアであるプログラムの命令を実行するＣＰＵ、前記プログラムおよび各種データがコンピュータ（またはＣＰＵ）で読み取り可能に記録されたＲＯＭ（Read Only Memory）または記憶装置（これらを「記録媒体」と称する）、前記プログラムを展開するＲＡＭ（Random Access Memory）などを備えている。そして、コンピュータ（またはＣＰＵ）が前記プログラムを前記記録媒体から読み取って実行することにより、本発明の目的が達成される。前記記録媒体としては、「一時的でない有形の媒体」、例えば、テープ、ディスク、カード、半導体メモリ、プログラマブルな論理回路などを用いることができる。また、前記プログラムは、該プログラムを伝送可能な任意の伝送媒体（通信ネットワークや放送波等）を介して前記コンピュータに供給されてもよい。なお、本発明は、前記プログラムが電子的な伝送によって具現化された、搬送波に埋め込まれたデータ信号の形態でも実現され得る。
【０１０３】
〔まとめ〕
本発明の態様１に係る映像伝送装置（ＳＴＢ５・５ａ）は、表示装置（ＳＤＲテレビ１・パーソナルコンピュータ３・情報端末装置４）に映像信号を伝送する映像伝送装置であって、前記表示装置の最大輝度を取得する最大輝度取得部（情報取得部５３）と、前記映像信号を調整することにより、前記最大輝度に応じて前記表示装置に表示する映像の輝度を変化させる調整部（ＨＤＲ信号処理部５４）とを備える。
【０１０４】
前記構成によれば、映像伝送装置では、映像信号により表される映像が表示装置に表示されるときに、その映像の輝度は、表示装置の最大輝度以下となるように調整される。このように、映像伝送装置は、表示装置に合せた映像を表す映像信号を伝送できる。
【０１０５】
本発明の態様２に係る映像伝送装置では、態様１において、前記映像信号は、ＨＤＲ信号であることが好ましい。
【０１０６】
本発明の態様３に係る映像伝送装置では、態様１または２において、前記映像信号は、絶対輝度方式のＨＤＲ信号であることが好ましい。
【０１０７】
本発明の態様４に係る映像伝送装置では、態様１または２において、前記映像信号は、相対輝度方式のＨＤＲ信号であってもよい。
【０１０８】
本発明の態様５に係る映像伝送装置では、態様１から４のいずれか一態様において、前記映像信号は、前記映像信号と制御信号とを伝送するインターフェースを介し前記表示装置に伝送され、前記最大輝度取得部は、前記制御信号から、前記最大輝度を取得することが好ましい。
【０１０９】
表示装置は、その最大輝度に関する情報を、表示装置の外部から参照される用途を想定されていないことが多い。しかし、表示装置を特定できる情報（例えば、表示装置の名称および製造番号）は、表示装置の外部から参照できることがある。
【０１１０】
前記構成によれば、そのような表示装置に対し、映像信号により表される映像を表示するときに、その映像の輝度を、表示装置の最大輝度以下となるように調整できる。
【０１１１】
本発明の態様６に係る映像伝送装置では、態様１から４のいずれか一態様において、前記映像信号は、前記映像信号と制御信号とを伝送するインターフェース（ＨＤＭＩ信号線Ｃ）を介し前記表示装置に伝送され、前記最大輝度取得部は、前記制御信号から、前記表示装置を特定する情報を取得し、前記情報から、前記最大輝度を取得することが好ましい。
【０１１２】
本発明の態様７に係る映像伝送装置では、態様５または６において、前記インターフェースは、ＨＤＭＩ信号線であることが好ましい。
【０１１３】
本発明の態様８に係る映像伝送装置では、態様７において、前記制御信号は、ＥＤＩＤを含むことが好ましい。
【０１１４】
本発明の態様９に係る映像伝送装置では、態様７において、前記制御信号は、ＣＥＣコマンドを含むことが好ましい。
【０１１５】
本発明の態様１０に係る映像伝送装置では、態様１から４のいずれか一態様において、前記最大輝度取得部は、前記最大輝度を返答するサーバ（データベースサーバ５５・ＷＥＢサーバ５６）に、前記表示装置を特定する情報を送信し、前記最大輝度取得部は、前記サーバから前記最大輝度を取得することが好ましい。
【０１１６】
本発明の態様１１に係る映像伝送装置は、態様１から４のいずれか一態様において、前記表示装置を特定する情報と、前記最大輝度とを対応付けたデータベース５５ａをさらに備え、前記最大輝度取得部は、前記データベースから前記最大輝度を取得することが好ましい。
【０１１７】
本発明の態様１２に係る映像伝送装置は、態様１から４のいずれか一態様において、前記最大輝度または前記表示装置を特定する情報の入力を受け付ける入力部（リモートコントローラ５７）をさらに備え、前記最大輝度取得部は、前記入力部が受け付けた結果に基づき、前記最大輝度を取得することが好ましい。
【０１１８】
本発明の態様１３に係る映像伝送装置では、態様１から４のいずれか一態様において、前記最大輝度取得部は、前記最大輝度を記録した電子媒体（非接触ＩＣカード５８）から、前記最大輝度または前記表示装置を特定する情報を取得することが好ましい。
【０１１９】
本発明の態様１４に係る映像伝送装置では、態様１３において、前記電子媒体は、非接触ＩＣカード５８であることが好ましい。
【０１２０】
本発明の態様１５に係る映像伝送装置は、態様１から１４のいずれか一態様において、前記最大輝度のデフォルト値を保持する最大輝度保持部（メモリ５９）をさらに備え、前記調整部は、前記最大輝度取得部が取得した最大輝度または前記デフォルト値に応じて、前記映像の輝度を変化させることが好ましい。
【０１２１】
本発明の態様１６に係る映像伝送装置では、態様１から１４のいずれか一態様において、前記映像信号は、前記最大輝度の推奨値を含み、前記調整部は、前記最大輝度取得部が取得した最大輝度または前記推奨値に応じて、前記映像の輝度を変化させることが好ましい。
【０１２２】
本発明の態様１７に係る表示装置は、態様１から１６のいずれか一態様に記載の映像伝送装置を接続する接続部を備え、前記最大輝度取得部は、前記接続部を介し前記最大輝度を取得する。
【０１２３】
前記構成によれば、例えばＨＤＲ非対応の表示装置でも、ＨＤＲ信号が表す映像であるＨＤＲコンテンツを表示できる。特に、その表示装置の最大輝度が高いほど、ＨＤＲ非対応であるにもかかわらず、ＨＤＲ対応の表示装置により近い画質にて、ＨＤＲコンテンツを表示できる。
【０１２４】
本発明の態様１８に係る表示装置は、態様１７において、ＬＣＤパネル１２をさらに備えることが好ましい。
【０１２５】
本発明の態様１９に係る映像表示システムは、態様１から１５のいずれか一態様に記載の映像伝送装置と、態様１７または１８に記載の表示装置とを備える。
【０１２６】
本発明の態様２０に係る映像配信装置は、表示装置に伝送される映像信号を配信する映像配信装置であって、前記映像信号は、前記表示装置の最大輝度の推奨値を含む。
【０１２７】
表示装置は、その最大輝度に関する情報を、表示装置の外部から参照される用途を想定されていないことが多い。
【０１２８】
前記構成によれば、そのような表示装置に対し、映像信号により表される映像を表示するときに、その映像の輝度を、表示装置の最大輝度以下となるように調整できる。
【０１２９】
本発明の態様２１に係る映像配信システムは、態様１から１６のいずれか一態様に記載の映像伝送装置と、態様２０に記載の映像配信装置とを備える。
【０１３０】
本発明の態様２２に係る映像送受信システムは、態様１から１６のいずれか一態様に記載の映像伝送装置と、態様１７または１８に記載の表示装置と、態様２０に記載の映像配信装置とを備える。
【０１３１】
本発明の態様２３に係るプログラムは、コンピュータを、態様１から１６のいずれか一態様に記載の映像伝送装置の各部として機能させる。
【０１３２】
前記構成によれば、コンピュータを、映像伝送装置が備える各部（ソフトウェア要素）として動作させることができる。
【０１３３】
本発明の態様２４に係る記録媒体は、請求項２３に記載のプログラムを記録している。
【０１３４】
このように、映像伝送装置をコンピュータにて実現させるプログラム、およびそれを記録したコンピュータ読み取り可能な記録媒体も、本発明の範疇に入る。
【０１３５】
本発明の態様２５に係る映像伝送方法は、表示装置に映像信号を伝送する映像伝送方法であって、前記表示装置の最大輝度を取得する最大輝度取得工程と、前記映像信号を調整することにより、前記最大輝度に応じて前記表示装置に表示する映像の輝度を変化させる調整工程とを含む。
【０１３６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３７】
１  ＳＤＲテレビ（表示装置）
３  パーソナルコンピュータ（表示装置）
４  情報端末装置（表示装置）
５・５ａ  セットトップボックス（映像伝送装置）
６・６ａ  映像配信装置
１２  ＬＣＤパネル
１５  接続部
２１・２１ａ  映像表示システム
２２  映像配信システム
３０  映像送受信システム
５３  情報取得部（最高輝度取得部）
５４  ＨＤＲ信号処理部（調整部）
５５  データベースサーバ（サーバ）
５５ａ  データベース
５６  ＷＥＢサーバ（サーバ）
５７  リモートコントローラ（入力部）
５８  非接触ＩＣカード
５９  メモリ（最大輝度保持部）
Ｃ  ＨＤＭＩ信号線
【図１】
2018006877.tif 000003
【図２】
2018006877.tif 000004
【図３】
2018006877.tif 000005
【図４】
2018006877.tif 000006
【図５】
2018006877.tif 000007
【図６】
2018006877.tif 000008
【図７】
2018006877.tif 000009
【図８】
2018006877.tif 000010
【図９】
2018006877.tif 000011
【図１０】
2018006877.tif 000012